(57)【特許請求の範囲】
【請求項１】
支持体に収納体を開閉可能に取り付け、該収納体側に左右一対のラッチを移動可能に保持するハウジングを設けると共に、該左右の各ラッチを付勢ばね圧で支持体側に形成されたロック孔方向に付勢して、操作ハンドルの揺動操作で、上記左右の各ラッチの先端部を支持体側のロック孔から付勢ばね圧に抗して後退させるように構成した収納体のサイドロック装置において、操作ハンドルの揺動操作から得られる回転力で回転する回転手段を備え、該回転手段又は上記ラッチのいずれか一方にカム溝と該カム溝と連続して連通する逃げ溝とを形成し、同他方に該カム溝の溝縁に沿って移動する突起を形成して、回転手段の回転に伴うカム溝と突起の作用で、左右の各ラッチの先端部を支持体側のロック孔から後退させると共に、組み立て時は、上記突起をカム溝と連通する逃げ溝内で移動させるように構成したことを特徴とする収納体のサイドロック装置。
【請求項２】
カム溝が左右一対のラッチに形成されていることを特徴とする請求項１記載の収納体のサイドロック装置。
【請求項３】
支持体に収納体を開閉可能に取り付け、該収納体側に左右一対のラッチを移動可能に保持するハウジングを設けると共に、該左右の各ラッチを付勢ばね圧で支持体側に形成されたロック孔方向に付勢して、操作ハンドルの揺動操作で、上記左右の各ラッチの先端部を支持体側のロック孔から付勢ばね圧に抗して後退させるように構成した収納体のサイドロック装置において、操作ハンドルの揺動操作から得られる回転力で回転する回転手段を備え、該回転手段は、円筒状を呈して操作ハンドル側に固定されて、その内周面に突起を形成し、左右一対のラッチは、その半筒形の部位に上記突起を溝縁に沿って移動させるカム溝を形成して、該対向する各半筒形の部位で円筒形状を画成し、その内部に左右の各ラッチを支持体側のロック孔方向に付勢する付勢手段を配すると共に、回転手段の回転に伴うカム溝と突起の作用で、左右の各ラッチの先端部を支持体側のロック孔から後退させるように構成したことを特徴とする収納体のサイドロック装置。
【発明の詳細な説明】
【０００１】
【発明の属する技術分野】
本発明は、例えば、自動車のインストルメントパネル側に開閉可能に取り付けられるグローブボックスの如き、収納体のサイドロック装置の改良に関するものである。
【０００２】
【従来の技術】
従来のこの種サイドロック装置として、特開平４−６００７９号公報に示すものが存する。
該従来のサイドロック装置は、具体的には図示しないが、グローブボックス側に固定されるハウジング内に左右一対のリンクレバーを回転可能に軸支して、該左右の各リンクレバーの上端部側にインストルメントパネルに形成されたロック孔を出入する一対のラッチを設けると共に、左右の各リンクレバーの下端部間に上記左右の各ラッチを常時ロック孔内に係入する方向に付勢する引張コイルばねを装着する構成となっている。
【０００３】
そして、グローブボックスの閉塞状態にあっては、左右の各リンクレバーの上端部に設けられているラッチの先端部がインストルメントパネル側の対応する左右のロック孔内に係入して、グローブボックスをその閉塞位置にロックすることとなるが、このロック状態を解除してグローブボックスを開放する場合には、操作ハンドルの揺動操作で、左右一対のリンクレバーの中間部に対向して設けられている各突出腕を引張コイルばねの付勢ばね圧に抗して押し下げると、左右の各リンクレバーが付勢方向とは逆方向に回転して、ラッチの先端部をロック孔から後退させるので、これにより、グローブボックスを開放方向へ移動させることが可能となる。
【０００４】
【発明が解決しようとする課題】
従って、従来のサイドロック装置にあっては、グローブボックスの両サイドにおいて、そのロック状態とロック解除状態が簡単に得られる利点はあるが、反面、グローブボックスやインストルメントパネルの形状設定により、ラッチの出没量を左右両サイドで変える必要が生じたような場合には、ラッチの長さは勿論であるが、これに応じて、リンクレバーやハウジングの大きさをも変更しなければならなくなるので、これに伴い、グローブボックス自体の収納スペースが制限される恐れがあった。
【０００５】
【課題を解決するための手段】
本発明は、斯かる従来のサイドロック装置が抱える課題を有効に解決するために開発されたもので、請求項１記載の発明は、支持体に収納体を開閉可能に取り付け、該収納体側に左右一対のラッチを移動可能に保持するハウジングを設けると共に、該左右の各ラッチを付勢ばね圧で支持体側に形成されたロック孔方向に付勢して、操作ハンドルの揺動操作で、上記左右の各ラッチの先端部を支持体側のロック孔から付勢ばね圧に抗して後退させるように構成した収納体のサイドロック装置において、操作ハンドルの揺動操作から得られる回転力で回転する回転手段を備え、該回転手段又は上記ラッチのいずれか一方にカム溝と該カム溝と連続して連通する逃げ溝とを形成し、同他方に該カム溝の溝縁に沿って移動する突起を形成して、回転手段の回転に伴うカム溝と突起の作用で、左右の各ラッチの先端部を支持体側のロック孔から後退させると共に、組み立て時は、上記突起をカム溝と連通する逃げ溝内で移動させる構成した。
【０００６】
請求項２記載の発明は、請求項１を前提として、カム溝が左右一対のラッチに形成されている構成を採用した。
【０００７】
請求項３記載の発明は、支持体に収納体を開閉可能に取り付け、該収納体側に左右一対のラッチを移動可能に保持するハウジングを設けると共に、該左右の各ラッチを付勢ばね圧で支持体側に形成されたロック孔方向に付勢して、操作ハンドルの揺動操作で、上記左右の各ラッチの先端部を支持体側のロック孔から付勢ばね圧に抗して後退させるように構成した収納体のサイドロック装置において、操作ハンドルの揺動操作から得られる回転力で回転する回転手段を備え、該回転手段は、円筒状を呈して操作ハンドル側に固定されて、その内周面に突起を形成し、左右一対のラッチは、その半筒形の部位に上記突起を溝縁に沿って移動させるカム溝を形成して、該対向する各半筒形の部位で円筒形状を画成し、その内部に左右の各ラッチを支持体側のロック孔方向に付勢する付勢手段を配すると共に、回転手段の回転に伴うカム溝と突起の作用で、左右の各ラッチの先端部を支持体側のロック孔から後退させる構成を採用した。
【０００８】
依って、請求項１記載の発明にあって、支持体や収納体の形状設定により、ラッチの出没量を左右両サイドで変更する必要が生じたような場合には、従来のように、装置自体を大幅に改変しなくとも、カム溝やラッチの長さを変更するだけで、その要請に応えることができるので、極めて合理的である。しかも、横軸方向に対して長さを変更するだけなので、ハウジングの大きさを変更する必要もない。
【０００９】
請求項２記載の発明にあっては、カム溝を形成したラッチのみの変更で対応できるので、より一層合理的となる。
請求項３記載の発明にあって、支持体や収納体の形状設定により、ラッチの出没量を左右両サイドで変更する必要が生じたような場合には、従来のように、装置自体を大幅に改変しなくとも、カム溝を形成したラッチの長さを変更するだけで、その要請に応えることができるので、極めて合理的である。しかも、横軸方向に対して長さを変更するだけなので、ハウジングの大きさを変更する必要もない。又、突起は円筒状を呈する回転手段の内部において左右の各ラッチのカム溝に係合するので、突起とカム溝の安定した係合状態が保障できる。
【００１０】
【発明の実施の形態】
以下、本発明を図示する各好適な実施の形態に基づいて詳述すれば、第一実施の形態に係るサイドロック装置も、自動車のインストルメントパネルに開閉可能に取り付けられるグローブボックスを対象とするもので、そのボックス本体はインストルメントパネルの空所に対して回動可能に軸支されることを前提とする。
【００１１】
そして、第一実施の形態にあっては、図１に示す如く、上記ボックス本体Ｂの前面壁の中央部に孔縁に軸受片２を有する貫通孔１を穿設して、該貫通孔１内にその表面側から後述する回転軸６Ａのベース部１１にネジ止めされる操作ハンドル３を支持する一方、同前面壁の裏面側に左右一対のラッチ４・当該左右の各ラッチ４を付勢する２本の圧縮コイルばね５及び回転軸６Ａを収納するハウジング７をネジ（図示せず）等を介して一体的に固設する構成となっている。
【００１２】
又、上記左右の各ラッチ４は、合成樹脂で一体成形されて、先端にテーパー面４ａを付与した角形の棒状体を呈し、その後端部に拡大フランジ８を介して突起たるピン１０を有する筒状部９を一体に連設して、先端部を後述するハウジング７の側孔７ａから外方に突出させ、筒状部９を後述する回転軸６Ａの筒部１２内にスライド可能に挿入して、該回転軸６Ａの筒部１２内に装着される圧縮コイルばね５の付勢ばね圧で、インストルメントパネル側に形成されたロック孔方向に付勢される構成となっている。
【００１３】
回転手段となる回転軸６Ａは、合成樹脂で一体成形されて、上記操作ハンドル３を固定するベース部１１と、該ベース部１１の両端に軸部１３を介して連結される一対の筒部１２とからなり、該一対の筒部１２に対しては、上記各ラッチ４の筒状部９に設けられるピン１０を係合するカム溝１４を形成して、操作ハンドル３の揺動操作から得られる回転力で回転軸６Ａ自体が回転することにより、ピン１０をカム溝１４の溝縁に沿って移動させて、左右の各ラッチ４を圧縮コイルばね５の付勢ばね圧に抗して後退させる構成となっている。
【００１４】
尚、上記カム溝１４は、左右で対称の形状を呈して、ピン１０がカム溝１４の溝縁の先端部側に位置している時は、左右の各ラッチ４の先端部がインストルメントパネル側のロック孔方向に突出し、逆に、回転軸６Ａの回転する過程で、ピン１０がカム溝１４の溝縁に沿って移動して溝縁の後端部側に位置している時は、左右の各ラッチ４をインストルメントパネル側のロック孔から後退させるものであるが、第一実施の形態にあっては、このカム溝１４と連通する逃げ溝１５を連続して形成して、組み立て時等に、左右の各ラッチ４側に設けられたピン１０をこの逃げ溝１５内で移動させる構成となっている。
【００１５】
ハウジング７は、合成樹脂で一体成形されて、その中央部にブロック１７を設けて、該ブロック１７に回転軸６Ａのベース部１１に当接して操作ハンドル３を非操作状態にガタなく付勢するダブルトーションばね１８を装着すると共に、その両側に左右の各ラッチ４の先端部を挿通する角形の側孔７ａを形成する構成となっている。
【００１６】
依って、斯かる構成のサイドロック装置の下で、ボックス本体Ｂが閉塞状態にある時は、図２・図３に示す如く、回転軸６Ａの筒部１２内に装着されている圧縮コイルばね５の付勢ばね圧で、左右一対のラッチ４の先端部が、ハウジング７の側孔７ａとボックス本体Ｂの両側面壁に形成されている角形の通孔Ｂａを経て、インストルメントパネルＰのロック孔Ｐａに係入して、その閉塞位置で、ボックス本体Ｂはロックされることとなる。尚、この閉塞状態にあっては、角形の棒状体を呈するラッチ４が上記した角形の側孔７ａと角形の通孔Ｂａに嵌合しているので、これにより、左右の各ラッチ４の回転が規制されることとなる。
【００１７】
そして、このロックされたボックス本体Ｂを開放方向に回動させる場合には、図４・図５に示す如く、操作ハンドル３をダブルトーションばね１８の付勢ばね圧に抗して揺動操作すると、これと連動して、回転軸６Ａ全体が回転するので、該回転軸６Ａ側のカム溝１４内に係合するピン１０が対応するカム溝１４の溝縁に沿ってカム溝１４の後端部側に移動して、左右の各ラッチ４をその圧縮コイルばね５の付勢ばね圧に抗して強制的に後退させることとなる。
【００１８】
すると、左右の各ラッチ４の強制後退により、左右の各ラッチ４の先端部もインストルメントパネルＰの対応するロック孔Ｐａから後退するので、後は、ボックス本体Ｂが自動的に開放位置まで回動することが許容されることとなるが、ボックス本体Ｂが開放方向に回動した後に、操作ハンドル３の操作を解除すると、２本の圧縮コイルばね５の付勢ばね圧で、ピン１０がカム溝１４内をその溝縁に沿って先端部側に移動することにより、回転軸６Ａが逆方向に回転すると同時に、操作ハンドル３をダブルトーションばね１８の付勢ばね圧で非操作状態にガタなく復帰させることとなる。尚、左右の各ラッチ４の先端部も、ピン１０のカム溝１４内での移動で、圧縮コイルばね５の付勢ばね圧で再びロック孔Ｐａ方向に突出することとなる。
【００１９】
逆に、開放されたボックス本体Ｂを閉塞状態に戻す場合には、そのまま、ボックス本体ＢをインストルメントパネルＰの空所側に回動させることとなるが、この時には、ロック孔Ｐａ方向に突出する左右の各ラッチ４の先端に付与されたテーパー面４ａが、ロック孔Ｐａが形成されているインストルメントパネルＰ面に当接して、左右の各ラッチ４が圧縮コイルばね５の付勢ばね圧に抗して後退しながら移動し、再び、対応するロック孔Ｐａに係入するので、これにより、ボックス本体Ｂが閉塞ロック状態におかれることとなる。尚、この場合には、操作ハンドル３の操作とは無関係に、左右の各ラッチ４のみが回転軸６Ａの筒部１２内を後退するだけであるから、操作ハンドル３自体が操作状態におかれることがないので、見栄えも向上する。
【００２０】
従って、第一実施の形態に係るサイドロック装置の下では、支持体たるインストルメントパネルＰや収納体たるボックス本体Ｂの形状設定により、ラッチ４の出没量を左右両サイドで変更する必要が生じたような場合には、従来のように、装置自体を大幅に改変しなくとも、カム溝１４やラッチ４の長さを変更するだけで、その要請に応えることができるので、極めて合理的であると共に、横軸方向に対する長さを変更することとなるので、ハウジング７の大きさを変更する必要もない。
【００２１】
次に、第二実施の形態に係るサイドロック装置を説明すると、該第二実施の形態のものも、基本的には、上記した第一実施の形態を踏襲するものであるが、異なるところは、今度は、左右一対のラッチ４側にカム溝１４を形成し、回転手段となる回転筒６Ｂ側に該カム溝１４内をその溝縁に沿って移動するピン１０を設ける構成となしたものである。又、第二実施の形態にあっては、操作ハンドル３を非操作状態に付勢するダブルトーションばね１８を設けていない。
【００２２】
これを詳しく説明すると、左右の各ラッチ４に対しては、図６・図７に示す如く、第一実施の形態のものよりも長さ寸法が長い丸形の棒状体となして、その後端部に半筒形を呈するガイド部１９を一体的に連設し、当該半筒形のガイド部１９の表面側にカム溝１４を形成すると共に、ガイド部１９の内側に圧縮コイルばね５の端部を支持する凸部２０を形成し、対向する各半筒状のガイド部１９同士で円筒形状を画成して、その内部に左右の各ラッチ４をインストルメントパネルＰ側のロック孔Ｐａ方向に付勢する１本の圧縮コイルばね５を配する構成となっている。尚、第二実施の形態におけるカム溝１４には、第一実施の形態の逃げ溝１５に加えて、ピン１０をカム溝１４内に導入する切欠溝１６を形成するものとする。
【００２３】
又、回転手段となる回転筒６Ｂに対しては、図６・図８に示す如く、上記円筒形状を画成する半筒状の各ガイド部１９を挿入できる大きさの筒状体を呈して、操作ハンドル３と一体に成形され、その内周面に上記各カム溝１４内に切欠溝１６を介して係合する一対のピン１０を対向する状態をもって設けて、ボックス本体Ｂの前面壁に穿設されている貫通孔１内に、ボックス本体Ｂの裏面側に設けられた軸受部２１に固定される押え板２２を介して、操作ハンドル３と一緒に回転可能に支持される構成となっている。但し、回転筒６Ｂに関しては、操作ハンドル３とは別体に成形して、後から、当該回転筒６Ｂを操作ハンドル３側に固定することも可能である。
【００２４】
尚、第二実施の形態におけるハウジング７は、上記左右一対のラッチ４と回転筒６Ｂを収納できる大きさと形態に成形されて、その両側に左右の各ラッチ４の先端部を挿通する切欠状の側孔７ａを形成するものとする。この為、第二実施の形態の下では、左右の各ラッチ４とガイド部１９の境に角形部２３を形成し、軸受部２１の両サイドに角形の凹部２４を形成して、両者２３・２４の嵌入で、左右の各ラッチ４の回転を規制している。従って、ボックス本体Ｂ側の通孔Ｂａは丸形である。
【００２５】
依って、斯かる構成のサイドロック装置の下で、左右一対のラッチ４を操作ハンドル３と一体の回転筒６Ｂ内に組み込む場合には、１本の圧縮コイルばね５を介在させる状態を得て、左右の各ラッチ４をそのガイド部１９側から回転筒６Ｂの内部に重ね合わせながら挿入して、回転筒６Ｂを回転させると、該回転筒６Ｂの内部に突出する一対のピン１０が対応する切欠溝１６からカム溝１４内に導かれて、左右の各ラッチ４が回転筒６Ｂに出没可能に支持されることとなる。
【００２６】
そして、ボックス本体Ｂが閉塞状態にある時は、図９に示す如く、円筒形状に画成される各ラッチ４のガイド部１９の内部に装着されている圧縮コイルばね５の付勢ばね圧で、左右一対のラッチ４の先端部が、ハウジング７の切欠状の側孔７ａとボックス本体Ｂの両側面壁に形成されている丸形の通孔Ｂａを経て、インストルメントパネルＰのロック孔Ｐａに係入して、その閉塞位置で、ボックス本体Ｂはロックされる。尚、この場合には、図１０に示す如く、操作ハンドル３は非操作状態におかれている。
【００２７】
又、このロックされたボックス本体Ｂを開放方向に回動させる場合には、図１１に示す如く、操作ハンドル３を揺動操作すると、これと連動して、回転筒６Ｂが回転するので、回転筒６Ｂ側のピン１０が対応するカム溝１４の溝縁に沿って移動して、図１２に示す如く、左右の各ラッチ４をその１本の圧縮コイルばね５の付勢ばね圧に抗して強制的に後退させることとなる。
【００２８】
すると、左右の各ラッチ４の強制後退により、左右の各ラッチ４の先端部もインストルメントパネルＰの対応するロック孔Ｐａから後退するので、後は、ボックス本体Ｂが自動的に開放位置まで回動することが許容されることとなるが、ボックス本体Ｂが開放方向に回動した後に、操作ハンドル３の操作を解除すると、圧縮コイルばね５の付勢ばね圧で、ピン１０がカム溝１４内を逆方向に移動して、左右の各ラッチ４の先端部を圧縮コイルばね５の付勢ばね圧で再びロック孔Ｐａ方向に突出させると同時に、回転筒６Ｂも逆方向に回転して、操作ハンドル３を非操作状態に復帰させる。
【００２９】
逆に、開放されたボックス本体Ｂを閉塞状態に戻す場合には、そのまま、ボックス本体ＢをインストルメントパネルＰの空所側に回動させることとなるが、この時には、ロック孔Ｐａ方向に突出する左右の各ラッチ４に付与されたテーパー面４ａが、ロック孔Ｐａが形成されているインストルメントパネルＰ面に当接して、左右の各ラッチ４が圧縮コイルばね５の付勢ばね圧に抗して後退しながら移動し、再び、対応するロック孔Ｐａに係入するので、これにより、ボックス本体Ｂが閉塞ロック状態におかれることとなる。尚、この場合には、第一実施の形態と同様に、操作ハンドル３の操作とは無関係に、左右の各ラッチ４のみが回転筒６Ｂ内に後退するだけであるから、操作ハンドル３自体が操作状態におかれることがないので、見栄えも向上する。
【００３０】
従って、第二実施の形態に係るサイドロック装置の下でも、支持体たるインストルメントパネルＰや収納体たるボックス本体Ｂの形状設定により、ラッチ４の出没量を左右両サイドで変更する必要が生じたような場合には、従来のように、装置自体を大幅に改変しなくとも、やはり、カム溝１４やラッチ４の長さを変更するだけで、その要請に応えることができるので、極めて合理的であると共に、横軸方向に対する長さを変更することとなるので、ハウジング７の大きさを変更する必要もない。
【００３１】
しかも、特に、第二実施の形態にあっては、カム溝１４をラッチ４側に形成した関係で、ラッチ４のみを変更するだけで済むので、一層合理的であるばかりか、付勢手段たる圧縮コイルばね５が１本で足りるので、省スペースが期待できると共に、ピン１０は円筒状を呈する回転筒６Ｂの内部において左右の各ラッチ４のカム溝１４に係合するので、ピン１０とカム溝１４の安定した係合状態が保障できる。
【００３２】
【発明の効果】
以上の如く、本発明は、上記構成の採用により、支持体や収納体の形状設定により、ラッチの出没量を左右両サイドで変更する必要が生じたような場合には、従来のように、装置自体を大幅に改変しなくとも、カム溝やラッチの長さを変更するだけで、その要請に応えることができるので、極めて合理的である。しかも、横軸方向に対して長さを変更するだけなので、ハウジングの大きさを変更する必要もない。
【図面の簡単な説明】
【図１】本発明の第一実施の形態に係るサイドロック装置を分解して示す斜視図である。
【図２】ボックス本体の閉塞ロック状態を示す説明図である。
【図３】ボックス本体の閉塞ロック状態を示す要部斜視図である。
【図４】ボックス本体の閉塞ロックを解除した状態を示す説明図である。
【図５】ボックス本体の閉塞ロックを解除した状態を示す要部斜視図である。
【図６】本発明の第二実施の形態に係るサイドロック装置を分解して示す斜視図である。
【図７】カム溝と逃げ溝と切欠溝の関係を示す拡大説明図である。
【図８】操作ハンドルと回転筒とピンの関係を示す断面図である。
【図９】ボックス本体の閉塞ロック状態を示す要部説明図である。
【図１０】ボックス本体の閉塞ロック状態におけるカム溝とピンの関係を示す要部説明図である。
【図１１】ボックス本体の閉塞ロックを解除した状態におけるカム溝とピンの関係を示す要部説明図である。
【図１２】ボックス本体の閉塞ロックを解除した状態を示す要部説明図である。
【符号の説明】
Ｐ    インストルメントパネル（支持体）
Ｐａ  ロック孔
Ｂ    ボックス本体（収納体）
Ｂａ  通孔
１    貫通孔
２    軸受片
３    操作ハンドル
４    ラッチ
４ａ  テーパー面
５    圧縮コイルばね
６Ａ  回転軸（回転手段）
６Ｂ  回転筒（回転手段）
７    ハウジング
８    拡大フランジ
９    筒状部
１０  ピン（突起）
１１  ベース部
１２  筒部
１３  軸部
１４  カム溝
１５  逃げ溝
１６  切欠溝
１７  ブロック
１８  ダブルトーションばね
１９  ガイド部
２０  凸部
２１  軸受部
２２  押え板
２３  角形部
２４  凹溝
【図１】
0003850686.tif 000002
【図２】
0003850686.tif 000003
【図３】
0003850686.tif 000004
【図４】
0003850686.tif 000005
【図５】
0003850686.tif 000006
【図６】
0003850686.tif 000007
【図７】
0003850686.tif 000008
【図８】
0003850686.tif 000009
【図９】
0003850686.tif 000010
【図１０】
0003850686.tif 000011
【図１１】
0003850686.tif 000012
【図１２】
0003850686.tif 000013